(57)【特許請求の範囲】
【請求項１】
所定の変調及びコーディング方式により処理されて受信された信号から信号対雑音比を抽出する信号対雑音比抽出部と、
抽出された信号対雑音比と前記受信された信号に対して要求される要求信号対雑音比とを比較し、少なくとも前記比較結果を含む条件を反映して変調及びコーディング方式を再び決定する変調及びコーディング方式決定部と、
抽出された信号対雑音比と決定された変調及びコーディング方式の信号に対して要求される要求信号対雑音比とを比較し、前記比較結果により電力制御値を決定する電力制御値決定部と、
送信するデータに前記決定された変調及びコーディング方式を表わすフィールド及び前記電力制御値に該当する電力制御命令フィールドを挿入し、その結果を前記決定された変調及びコーディング方式により処理して送信信号を生成する信号生成部と、
を備えることを特徴とする適応変調及びコーディング方式の移動通信システム。
【請求項２】
前記変調及びコーディング方式決定部または前記電力制御値決定部は、
各々の変調及びコーディング方式により処理される信号に対して要求される信号対雑音比を貯蔵する要求信号対雑音比貯蔵部をさらに備えることを特徴とする請求項１に記載の適応変調及びコーディング方式の移動通信システム。
【請求項３】
前記信号生成部より受信された信号から前記電力制御命令フィールドと変調及びコーディング方式を表わすフィールドとを抽出する命令語抽出部と、
前記電力制御命令フィールドの電力制御命令による電力の強さを計算し、前記変調及びコーディング方式を表わすフィールドの内容により伝送するデータを処理して前記信号対雑音比抽出部に送信する信号を生成する処理部と、
前記信号対雑音抽出部と前記処理部との間に位置し、前記電力の強さにより前記処理部で生成された信号を増幅して調節する増幅部と、
をさらに備えることを特徴とする請求項１に記載の適応変調及びコーディング方式の移動通信システム。
【請求項４】
所定の変調及びコーディング方式により処理されて受信された信号から信号対雑音比を抽出する信号対雑音比抽出部と、
抽出された信号対雑音比と前記受信された信号に対して要求される要求信号対雑音比とを比較し、少なくとも前記比較結果を含む条件を反映して変調及びコーディング方式を再び決定する変調及びコーディング方式決定部と、
抽出された信号対雑音比と決定された変調及びコーディング方式の信号に対して要求される要求信号対雑音比とを比較し、前記比較結果により電力制御値を決定する電力制御値決定部と、
送信するデータに前記決定された変調及びコーディング方式を表わすフィールド及び前記電力制御値に該当する電力制御命令フィールドを挿入し、その結果を前記決定された変調及びコーディング方式により処理して送信信号を生成する信号生成部と、
前記信号生成部より受信された信号から前記電力制御命令フィールドと変調及びコーディング方式を表わすフィールドとを抽出する命令語抽出部と、
前記電力制御命令フィールドの電力制御命令による電力の強さを計算し、前記変調及びコーディング方式を表わすフィールドの内容により伝送するデータを処理して前記信号対雑音抽出部に送信する信号を生成する処理部と、
前記信号対雑音抽出部と前記処理部との間に位置し、前記電力の強さにより前記処理部で生成された信号を増幅して調節する増幅部と、
を備えることを特徴とする適応変調及びコーディング方式の移動通信システム。
【請求項５】
前記変調及びコーディング方式決定部または前記電力制御値決定部は、
各々の変調及びコーディング方式により処理される信号に対して要求される要求信号対雑音比を貯蔵する要求信号対雑音比貯蔵部をさらに備えることを特徴とする請求項４に記載の適応変調及びコーディング方式の移動通信システム。
【請求項６】
所定の変調及びコーディング方式により処理されて受信された信号から信号対雑音比を抽出する第１段階と、
抽出された信号対雑音比と前記受信された信号に対して要求される要求信号対雑音比とを比較し、少なくとも前記比較結果を含む条件を反映して変調及びコーディング方式を再び決定する第２段階と、
前記第２段階で決定された変調及びコーディング方式が以前の変調及びコーディング方式と異なるならば、抽出された信号対雑音比と決定された変調及びコーディング方式の信号に対して要求される要求信号対雑音比とを比較し、前記比較結果により電力制御値を決定する第３段階と、
送信するデータに前記決定された変調及びコーディング方式を表わすフィールド及び前記電力制御値に該当する電力制御命令フィールドを挿入し、その結果を前記決定された変調及びコーディング方式により処理して送信信号を生成する第４段階と、
を含むことを特徴とする適応変調及びコーディング方式の移動通信方法。
【請求項７】
前記要求信号対雑音比は、
前記信号に適用される変調方式及びコーディング方式の各場合に対して理論的に計算されるか、あるいは実験的に得られた信号対雑音比が表形式で貯蔵されることを特徴とする請求項６に記載の適応変調及びコーディング方式の移動通信方法。
【請求項８】
前記第３段階は、
前記第２段階で決定された変調及びコーディング方式が以前の変調及びコーディング方式と同じならば、前記電力制御値は従来の固定ステップサイズ閉ループ電力制御方式のように、所定の変動幅だけ電力が調節されるように決定されることを特徴とする請求項６に記載の適応変調及びコーディング方式の移動通信方法。
【請求項９】
前記第４段階で生成されて伝送された信号から前記電力制御命令フィールドと変調及びコーディング方式を表わすフィールドとを抽出する第５段階と、
前記電力制御命令フィールドの電力制御命令による電力の強さを計算し、前記変調及びコーディング方式を表わすフィールドの内容により伝送するデータを処理して送信信号を生成する第６段階と、
前記第６段階で生成された信号を前記電力の強さだけ増幅して送信する第７段階と、
を含むことを特徴とする請求項６に記載の適応変調及びコーディング方式の移動通信方法。
【請求項１０】
所定の変調及びコーディング方式により処理されて受信された信号から信号対雑音比を抽出する第１段階と、
抽出された信号対雑音比と前記受信された信号に対して要求される要求信号対雑音比とを比較し、少なくとも前記比較結果を含む条件を反映して変調及びコーディング方式を再び決定する第２段階と、
前記第２段階で決定された変調及びコーディング方式が以前の変調及びコーディング方式と異なるならば、抽出された信号対雑音比と決定された変調及びコーディング方式の信号に対して要求される要求信号対雑音比とを比較し、前記比較結果により電力制御値を決定する第３段階と、
送信するデータに前記決定された変調及びコーディング方式を表わすフィールド及び前記電力制御値に該当する電力制御命令フィールドを挿入し、その結果を前記決定された変調及びコーディング方式により処理して送信信号を生成する第４段階と、前記第４段階で生成されて伝送された信号から前記電力制御命令フィールドと変調及びコーディング方式を表わすフィールドとを抽出する第５段階と、
前記電力制御命令フィールドの電力制御命令による電力の強さを計算し、前記変調及びコーディング方式を表わすフィールドの内容により伝送するデータを処理して送信信号を生成する第６段階と、
前記第６段階で生成された信号を前記電力の強さだけ増幅して送信する第７段階と、
を含むことを特徴とする適応変調及びコーディング方式の移動通信方法。
【請求項１１】
前記要求信号対雑音比は、前記信号に適用される変調方式及びコーディング方式の各場合に対して理論的に計算されるか、あるいは実験的に得られた信号対雑音比が表形式で貯蔵されることを特徴とする請求項１０に記載の適応変調及びコーディング方式の移動通信方法。
【請求項１２】
前記第３段階は、前記第２段階で決定された変調及びコーディング方式が以前の変調及びコーディング方式と同じならば、前記電力制御値は従来の固定ステップサイズ閉ループ電力制御方式のように、所定の変動幅だけ電力が調節されるように決定されることを特徴とする請求項１０に記載の適応変調及びコーディング方式の移動通信方法。
【請求項１３】
前記第３段階は、
前記比較結果のみを反映して電力制御値を決定することを特徴とする請求項８に記載の適応変調及びコーディング方式の移動通信方法。
【請求項１４】
前記第３段階は、
前記比較結果のみを反映して電力制御値を決定することを特徴とする請求項１２に記載の適応変調及びコーディング方式の移動通信方法。
【発明の詳細な説明】
【０００１】
【発明の属する技術分野】
本発明は、電力が調節される適応変調及びコーディング方式の移動通信システムとその方法に係り、特に、適応変調及びコーディング方式の移動通信システムにおいて、移動局から基地局へと進行する逆方向信号から抽出された信号対雑音比を用いて移動局の出力電力を制御する装置及びその方法に関する。
【０００２】
【従来の技術】
一般に、無線通信システムにおける電力制御の究極の目的は、無線チャネルにおける信号減衰を補償することにより、前記信号が受信端で要求する適正な信号レベルをもって入力されるようにし、所定の品質の通信チャネルを提供することにある。また、無線通信が携帯電話ネットワークに発展するに伴い、電力制御は、チャネル共有による干渉またはマルチユーザの干渉等によるシステムの性能及びその容量に重要な因子となっている。特に、コード分割多重接続（ＣＤＭＡ）方式の移動通信システムの場合、受信端における信号対雑音比（以下、「ＳＮＲ」という、但し、ＳＮＲ：Ｓｉｇｎａｌ  ｔｏ  Ｎｏｉｓｅ  Ｒａｔｉｏ）を基準にシステムの容量が決まるが、復調端で要求される所定の信号レベルの要求ＳＮＲ（ＳＮＲ＿ＲＥＱ）が維持される限り、同時使用するユーザの数はますます増える。従って、各ユーザの電力制御がよく調節され、逆方向における遠近問題（Ｎｅａｒ／Ｆａｒ  Ｐｒｏｂｌｅｍ）が最小化されるならば、他の伝送方式に比べて高い周波数効率を提供できるであろう。
【０００３】
従来の移動通信システムにおける電力制御方式の例としては、暫定規格（ＩＳ）−９５で推奨する固定ステップサイズ閉ループ電力制御（ＦＣＬＰＣ：Ｆｉｘｅｄ  ｓｔｅｐ−ｓｉｚｅ  Ｃｌｏｓｅｄ−Ｌｏｏｐ  Ｐｏｗｅｒ  Ｃｏｎｔｒｏｌ）方式がある。ＦＣＬＰＣ方式では、基地局が移動局（または端末機）の信号の大きさを測定した後に、移動局に電力制御命令を送る。基地局は、信号の大きさが要求されるＳＮＲより小さければ、電力制御命令に含まれた電力制御ビットを「０」に設定することにより、移動局の送信信号の大きさを＋１ｄＢだけ上げる。また、信号の大きさが要求ＳＮＲより大きければ、電力制御ビットを「１」に設定して、信号の大きさを−１ｄＢだけ下げる。すなわち、この方式では、移動局の送信電力の変動幅が±１ｄＢに固定されている。従って、信号の変動幅が少しずつ変わる場合にはこの方式が効果的であるかも知れないが、信号の変動幅が激しい場合にはその収束速度に限界があって好適ではない。
【０００４】
近年、高速の伝送率を提供するために周波数効率の高い変調方式が用いられているが、チャネル状態が悪くなれば周波数効率の高い変調方式は用いられない。従って、チャネルの状態に応じて変調方式及びチャネルコーディングを適応的に選択し得る適応変調及びチャネルコーディング（ＡＭＣ：Ａｄａｐｔｉｖｅ  Ｍｏｄｕｌａｔｉｏｎ  ａｎｄ  Ｃｏｄｉｎｇ）方式を用いる。ＡＭＣ方式を適用するシステムの場合、受信端で要求するＳＮＲは、階段状に急激に変わる。
【０００５】
図１は、ＡＭＣ方式を適用した移動通信システムにおいて、要求ＳＮＲの経時変化及び既存の方式の電力制御によるＳＮＲの変化を模式的に示すグラフである。図１に示すように、曲線はＡＭＣ方式により変調方式及びコーディングが６４ＱＡＭ（Ｑｕａｄｒａｔｉｃ  Ａｍｐｌｉｔｕｄｅ  Ｍｏｄｕｌａｔｉｏｎ）＋３／４からＱＰＳＫ（Ｑｕａｄｒａｔｕｒｅ  Ｐｈａｓｅ−Ｓｈｉｆｔ  Ｋｅｙｉｎｇ）＋３／４へと変わった時の要求ＳＮＲを示し、階段状の線は既存の電力制御方法によるＳＮＲを示すが、既存の方式では要求ＳＮＲを満足できないということが分かる。
【０００６】
すなわち、既存の電力制御方式は、パケット毎またはフレーム毎にＳＮＲが急激に変わるＡＭＣ方式について考慮しておらず、リアルタイム制御が不可能であり、これにより、受信信号の不安定さによる呼び出しの中断及び送信電力の無駄遣いを引き起こし、同時使用可能なユーザ数の減少などの不都合が起こる。さらに、１つの移動局またはネットワーク内で全ての移動局が図１に示されるような結果を招くならば、容量減少などの問題も引き起こされうる。このような問題点を解決するために、移動局の移動速度による信号レベルの変化を考慮した可変電力制御方法が提示されているが、何れも同じ変復調方式下で移動局の移動速度による信号の可変幅を考慮したものであるため、ＡＭＣのように変調・復調方式が変わる場合には最適化されていない。従って、ＡＭＣ方式を適用したシステムに適した電力制御方法が望まれる。
【０００７】
【発明が解決しようとする課題】
そこで、本発明は、前記事情に鑑み、ＡＭＣ方式の移動通信システムにおいて変調及びコーディング方式が変わる場合、それにより移動局の出力の電力を調節できる適応変調及びコーディング方式の移動通信システムとその方法を提供することを目的とする。
【０００８】
【課題を解決するための手段】
本発明は、前記目的を達成するために創案されたものであり、まず、請求項１に記載の適応変調及びコーディング方式の移動通信システムは、所定の変調及びコーディング方式により処理されて受信された信号から信号対雑音比を抽出する信号対雑音比抽出部と抽出された信号対雑音比と前記受信された信号に対して要求される要求信号対雑音比とを比較し、少なくとも前記比較結果を含む条件を反映して変調及びコーディング方式を再び決定する変調及びコーディング方式決定部と、抽出された信号対雑音比と決定された変調及びコーディング方式の信号に対して要求される要求信号対雑音比とを比較し、前記比較結果により電力制御値を決定する電力制御値決定部と、送信するデータに前記決定された変調及びコーディング方式を表わすフィールド及び前記電力制御値に該当する電力制御命令フィールドを挿入し、その結果を前記決定された変調及びコーディング方式により処理して送信信号を生成する信号生成部とを備える。
【０００９】
請求項２に記載の変調及びコーディング方式決定部または前記電力制御値決定部は、請求項１に記載の適応変調及びコーディング方式の移動通信システムにおいて、各々の変調及びコーディング方式により処理される信号に対して要求される信号対雑音比を貯蔵する要求信号対雑音比貯蔵部をさらに備えることが望ましい。
【００１０】
請求項３に記載の適応変調及びコーディング方式の移動通信システムは、請求項１に記載の適応変調及びコーディング方式の移動通信システムにおいて、前記信号生成部より受信された信号から前記電力制御命令フィールドと変調及びコーディング方式を表わすフィールドとを抽出する命令語抽出部と、前記電力制御命令フィールドの電力制御命令による電力の強さを計算し、前記変調及びコーディング方式を表わすフィールドの内容により伝送するデータを処理して前記信号対雑音比抽出部に送信する信号を生成する処理部と、前記信号対雑音抽出部と前記処理部との間に位置し、前記電力の強さにより前記処理部で生成された信号を増幅して調節する増幅部とをさらに備えることが望ましい。
【００１１】
請求項４に記載の適応変調及びコーディング方式の移動通信システムは、所定の変調及びコーディング方式により処理されて受信された信号から信号対雑音比を抽出する信号対雑音比抽出部と、抽出された信号対雑音比と前記受信された信号に対して要求される要求信号対雑音比とを比較し、少なくとも前記比較結果を含む条件を反映して変調及びコーディング方式を再び決定する変調及びコーディング方式決定部と、抽出された信号対雑音比と決定された変調及びコーディング方式の信号に対して要求される要求信号対雑音比とを比較し、前記比較結果により電力制御値を決定する電力制御値決定部と、送信するデータに前記決定された変調及びコーディング方式を表わすフィールド及び前記電力制御値に該当する電力制御命令フィールドを挿入し、その結果を前記決定された変調及びコーディング方式により処理して送信信号を生成する信号生成部と、前記信号生成部より受信された信号から前記電力制御命令フィールドと変調及びコーディング方式を表わすフィールドとを抽出する命令語抽出部と、前記電力制御命令フィールドの電力制御命令による電力の強さを計算し、前記変調及びコーディング方式を表わすフィールドの内容により伝送するデータを処理して前記信号対雑音抽出部に送信する信号を生成する処理部と、前記信号対雑音抽出部と前記処理部との間に位置し、前記電力の強さにより前記処理部で生成された信号を増幅して調節する増幅部とを備える。
【００１２】
請求項５に記載の変調及びコーディング方式決定部または前記電力制御値決定部は、請求項４に記載の適応変調及びコーディング方式の移動通信システムにおいて、各々の変調及びコーディング方式により処理される信号に対して要求される要求信号対雑音比を貯蔵する要求信号対雑音比貯蔵部をさらに備えることが望ましい。
【００１３】
請求項６に記載の適応変調及びコーディング方式の移動通信方法は、所定の変調及びコーディング方式により処理されて受信された信号から信号対雑音比を抽出する第１段階と、抽出された信号対雑音比と前記受信された信号に対して要求される要求信号対雑音比とを比較し、少なくとも前記比較結果を含む条件を反映して変調及びコーディング方式を再び決定する第２段階と、前記第２段階で決定された変調及びコーディング方式が以前の変調及びコーディング方式と異なるならば、抽出された信号対雑音比と決定された変調及びコーディング方式の信号に対して要求される要求信号対雑音比とを比較し、前記比較結果により電力制御値を決定する第３段階と、送信するデータに前記決定された変調及びコーディング方式を表わすフィールド及び前記電力制御値に該当する電力制御命令フィールドを挿入し、その結果を前記決定された変調及びコーディング方式により処理して送信信号を生成する第４段階とを含む。
【００１４】
請求項７に記載の要求信号対雑音比は、請求項６に記載の適応変調及びコーディング方式の移動通信方法において、前記信号に適用される変調方式及びコーディング方式の各場合に対して理論的に計算されるか、あるいは実験的に得られた信号対雑音比が表形式で貯蔵されることが望ましい。
【００１５】
請求項８に記載の第３段階は、請求項６に記載の適応変調及びコーディング方式の移動通信方法において、前記第２段階で決定された変調及びコーディング方式が以前の変調及びコーディング方式と同じならば、前記電力制御値は従来の固定ステップサイズ閉ループ電力制御方式のように、所定の変動幅だけ電力が調節されるように決定されることが望ましい。
【００１６】
請求項９に記載の適応変調及びコーディング方式の移動通信方法は、請求項６に記載の適応変調及びコーディング方式の移動通信方法において、前記第４段階で生成されて伝送された信号から前記電力制御命令フィールドと変調及びコーディング方式を表わすフィールドとを抽出する第５段階と、前記電力制御命令フィールドの電力制御命令による電力の強さを計算し、前記変調及びコーディング方式を表わすフィールドの内容により伝送するデータを処理して送信信号を生成する第６段階と、前記第６段階で生成された信号を前記電力の強さだけ増幅して送信する第７段階とを含むことが望ましい。
【００１７】
請求項１０に記載の適応変調及びコーディング方式の移動通信方法は、所定の変調及びコーディング方式により処理されて受信された信号から信号対雑音比を抽出する第１段階と、抽出された信号対雑音比と前記受信された信号に対して要求される要求信号対雑音比とを比較し、少なくとも前記比較結果を含む条件を反映して変調及びコーディング方式を再び決定する第２段階と、前記第２段階で決定された変調及びコーディング方式が以前の変調及びコーディング方式と異なるならば、抽出された信号対雑音比と決定された変調及びコーディング方式の信号に対して要求される要求信号対雑音比とを比較し、前記比較結果により電力制御値を決定する第３段階と、送信するデータに前記決定された変調及びコーディング方式を表わすフィールド及び前記電力制御値に該当する電力制御命令フィールドを挿入し、その結果を前記決定された変調及びコーディング方式により処理して送信信号を生成する第４段階と、前記第４段階で生成されて伝送された信号から前記電力制御命令フィールドと変調及びコーディング方式を表わすフィールドとを抽出する第５段階と、前記電力制御命令フィールドの電力制御命令による電力の強さを計算し、前記変調及びコーディング方式を表わすフィールドの内容により伝送するデータを処理して送信信号を生成する第６段階と、前記第６段階で生成された信号を前記電力の強さだけ増幅して送信する第７段階とを含む。
【００１８】
請求項１１に記載の要求信号対雑音比は、請求項１０に記載の適応変調及びコーディング方式の移動通信方法において、前記信号に適用される変調方式及びコーディング方式の各場合に対して理論的に計算されるか、あるいは実験的に得られた信号対雑音比が表形式で貯蔵されることが望ましい。
【００１９】
請求項１２に記載の第３段階は、請求項１０に記載の適応変調及びコーディング方式の移動通信方法において、前記第２段階で決定された変調及びコーディング方式が以前の変調及びコーディング方式と同じならば、前記電力制御値は従来の固定ステップサイズ閉ループ電力制御方式のように、所定の変動幅だけ電力が調節されるように決定されることが望ましい。
【００２０】
【発明の実施の形態】
以下、本発明の実施の形態について、図面を参照して説明する。
【００２１】
図２は、本実施の形態に係る適応変調及びコーディング方式の移動通信システムを模式的に示すブロック図であり、図３は、本実施の形態に係る適応変調及びコーディング方式の移動通信方法を模式的に示すフローチャートである。
【００２２】
図２に示すように、本発明による移動通信システムは、信号対雑音比抽出部２０１（以下、「ＳＮＲ抽出部」と略記）、変調及びコーディング方式決定部２０２、要求信号対雑音比貯蔵部２０３（以下、「要求ＳＮＲ貯蔵部」と略記）、電力制御値決定部２０４及び信号生成部２０５を含む基地局２００と、命令語抽出部２１１、処理部２１２及び増幅部２１３を含む移動局２１０とを備えて構成される。なお、図２において、Ｒｘは、受信端を、またＴｘは、送信端を表す。そして、各構成要素の動作は、図３のフローチャートを適宜参照して説明する。
【００２３】
ＳＮＲ抽出部２０１は、移動局２１０より受信された信号からＳＮＲを抽出する（第３０１段階）。変調及びコーディング方式決定部２０２は、抽出ＳＮＲと要求ＳＮＲとを比較し、その結果により現在の変調及びコーディング方式の変更要否と、変更する必要がある場合にいかなる方式により変更するかを決定する（第３０２段階）。通常、ＡＭＣ方式の移動通信システムで用いられる信号の電力幅は非ＡＭＣ方式のシステムにおけるそれに比べて相対的に広いため、一つの移動局に対して変調及びコーディング方式を決定することは移動局全体に及ぼす影響が大きいと言える。従って、一つの移動局のチャネル状態だけではなく、移動局全体またはネットワーク全体の負荷を考慮しつつ、変調及びコーディング方式を決定することが、より安定した容量及び性能を維持するために必要である。
【００２４】
要求ＳＮＲ貯蔵部２０３は、各信号方式により要求されるＳＮＲを貯蔵する。例えば、図５に示す表形式のように、信号の変調及びコーディング方式で各々要求されるＳＮＲを貯蔵する。
【００２５】
要求ＳＮＲは、理論的に決定できるが、該当地域または特定のチャネル環境でビットエラー率またはフレームエラー率の変化による実験値等を勘案し、システムが提供すべきビットエラー率等のサービス品質（ＱоＳ：Ｑｕａｌｉｔｙ  оｆ  Ｓｅｒｖｉｃｅ）に基づいて、作成または更新できる。
【００２６】
電力制御値決定部２０４は、変調及びコーディング方式決定部２０２で決定された変調及びコーディング方式に該当する要求ＳＮＲを、要求ＳＮＲ貯蔵部２０３から読み込んで、抽出ＳＮＲと比較し、電力制御値を決定する（第３０３段階）。電力制御値は、抽出ＳＮＲと要求ＳＮＲとの差により決定でき、その差がどの程度であるかにより、電力増減の度合いを表わすインデックスの形で表現できる。この場合には、移動局２１０は、前記インデックスに該当する電力増減値を貯蔵する貯蔵部をさらに備えてもよい。もし、変調及びコーディング方式決定部２０２の判断の結果、以前と同じ変調及びコーディング方式でよいとなれば、電力制御値決定部２０４は、従来のＦＣＬＰＣ方式により電力制御値を決定できる。この時には、抽出ＳＮＲと要求ＳＮＲとの比較結果のみを、電力制御値の決定に反映してもよい。
【００２７】
信号生成部２０５は、電力制御値を表わす電力制御命令フィールドと、変調及びコーディング方式を表わすフィールドとを送信するデータに挿入し、これらのデータを決定された変調及びコーディング方式により処理して、信号を生成し、移動局２１０に伝送する（第３０４段階）。
【００２８】
移動局２１０の命令語抽出部２１１は、受信信号に含まれた電力制御命令フィールド及び変調及びコーディング方式を表わすフィールドを抽出する（第３０５段階）。
【００２９】
処理部２１２は、抽出された電力制御命令フィールドの命令値により、電力の強さを計算し、変調及びコーディング方式を表わすフィールドでの変調及びコーディング方式により、送信するデータを処理し、信号を生成する（第３０６段階）。増幅部２１３は、処理部２１２で計算された電力の強さに基づき、処理部２１２で生成された信号を増幅して、基地局２００に伝送する（第３０７段階）。
【００３０】
図４は、電力を調節できる適応変調及びコーディング方式の移動通信システムとその方法を模式的に示すグラフである。図４の曲線は、ＡＭＣ方式の変調及びコーディング方式が、６４ＱＡＭ＋３／４からＱＰＳＫ＋３／４に変わった時の要求ＳＮＲを示し、階段状の実線は、本発明による電力制御によるＳＮＲを示し、そして階段状の点線は、従来の技術による電力制御によるＳＮＲを示す。両者のＳＮＲを比較すると、本発明によるＳＮＲの方が、前記要求ＳＮＲにより適合しており、従来の技術の場合、前記要求ＳＮＲを満足できないということが分かる。
【００３１】
【発明の効果】
以上説明したとおり、本発明に係る電力を調節できる適応変調及びコーディング方式の移動通信システムとその方法は、以下に示すように優れた効果を奏する。
【００３２】
本発明によれば、例えば、ＡＭＣ方式の変調及びコーディング方式が、６４ＱＡＭ＋３／４からＱＰＳＫ＋３／４に変わった時においても、本実施の形態に係るＳＮＲの変化は、従来の技術によるＳＮＲの変化に比べて格段に速く、要求ＳＮＲに収束する速度が速いので、移動局の送信電力に対するリアルタイム制御が可能であり、送信電力の無駄遣いを最小化できることから、移動局を同時使用可能なユーザ数を増やせると共にバッテリの消耗を最小化できる。また、送信電力の不足による呼び出しの中断を最小化させることにより、ユーザへのサービス品質を高められる。
【００３３】
また、移動局及びネットワークの負荷を考慮して変調及びコーディング方式を決定し、呼び出しの許可を制御するので、ネットワーク全体に対して安定的なサービスをユーザに提供できる。
【図面の簡単な説明】
【図１】ＡＭＣ方式を適用した移動通信システムにおいて、要求ＳＮＲの経時変化及び既存の方式の電力制御によるＳＮＲの変化を模式的に示すグラフである。
【図２】本実施の形態に係る適応変調及びコーディング方式の移動通信システムを模式的に示すブロック図である。
【図３】本実施の形態に係る適応変調及びコーディング方式の移動通信方法を模式的に示すフローチャートである。
【図４】本実施の形態に係るＳＮＲの変化と、従来の技術によるＳＮＲの変化とを比較した結果を模式的に示すグラフである。
【図５】変調方式及びコーディング方式の各々の組み合わせによる信号対雑音比を表形式で示す図である。
【符号の説明】
２００  基地局
２１０  移動局
Ｒｘ    受信端
Ｔｘ    送信端
【図１】
0004203344.tif 000002
【図２】
0004203344.tif 000003
【図３】
0004203344.tif 000004
【図４】
0004203344.tif 000005
【図５】
0004203344.tif 000006